(57)【要約】【課題】車体上側の重量を増加させることなくアッパーフレーム６の前端部にかかった荷重を効率よく車両の後方に分散させ、衝突荷重の吸収性能と操縦安定性の向上とを両立させる。【解決手段】フロントピラー３の接合突起５に重ねて接合されるアッパーフレーム６の基端側の下縁部を車両後方に向かって下向きに湾曲させてフロントピラー３の前縁部に連続して接続されるよう形成するとともに、アッパーフレーム６の基端側の上縁部を略水平に形成し、アッパーフレーム６の車幅方向縦断面における重心点を前記アッパーフレーム６の長さ方向に沿って結んだ仮想重心線Ｐが、前記アッパーフレーム６の基端側において車両後方に向かって下方に傾斜する状態にして、アッパーフレーム６の前端に加わる荷重をフロントピラー３の下方側に導いて、車両下方側の部材（サイドシル４）へ分散させる構成とする。【選択図】図３
2008137552.tif 000002
【特許請求の範囲】
【請求項１】
車両の車室前部の左右に位置して上下方向に延設される一対のフロントピラーと、同フロントピラーに基端が接合されて車両前方に延設される左右一対のアッパーフレームと、同アッパーフレームより下方でかつ前記フロントピラーよりも車幅方向内側に配置されて前記車室の前方に延設される左右一対のサイドメンバとを備え、前記サイドメンバの前端側に前記アッパーフレームの前端側が連結されるよう構成された車両前部の車体構造において、
前記アッパーフレームは、その車幅方向縦断面における重心点を前記アッパーフレームの長さ方向に沿って結んだ仮想重心線が、前記アッパーフレームの基端側において車両後方に向かって下方に傾斜するよう形成されている
ことを特徴とする車両前部の車体構造。
【請求項２】
請求項１の車両前部の車体構造において、
前記アッパーフレームの基端側は、その下縁部の形状が車両後方に向かって下向きに湾曲するよう形成され、前記フロントピラーの前縁部と連続するように接合される
ことを特徴とする車両前部の車体構造。
【請求項３】
請求項２に記載の車両前部の車体構造において、
前記フロントピラーは、前記アッパーフレームが接合される部位に車両前方に張り出して前記アッパーフレームの基端が重合される接合突出部を有しており、
前記接合突出部は、その下方側の形状が前記アッパーフレーム基端側の下縁部の湾曲に沿った湾曲形状に形成されている
ことを特徴とする車両前部の車体構造。
【請求項４】
請求項１〜３のいずれか一項に記載の車両前部の車体構造において、
前記アッパーフレームの前端は下向きに湾曲している
ことを特徴とする車両前部の車体構造。
【請求項５】
請求項１〜４のいずれか一項に記載の車両前部の車体構造において、
前記アッパーフレームの基端側の上縁部の形状は略水平に形成されている
ことを特徴とする車両前部の車体構造。
【請求項６】
請求項１〜５のいずれか一項に記載の車両前部の車体構造において、
前記フロントピラーの下端部には、前記フロントピラーと前記サイドメンバとを連結して補強する補強部材が設けられている
ことを特徴とする車両前部の車体構造。
【請求項７】
請求項１〜６のいずれか一項に記載の車両前部の車体構造において、
前記アッパーフレームは、車幅方向内方に開放された断面略ハット形のアウターパネルと、同アウターパネルに接合されて閉断面を形成するインナーパネルとから構成されており、前記インナーパネルには、前記アウターパネルよりも車両上方に延設される延設部が形成され、同延設部にフードの前縁を支持するアッパーバーの端部が接合されている
ことを特徴とする車両前部の車体構造。
【請求項８】
請求項１〜７のいずれか一項に記載の車両前部の車体構造において、
前記アッパーフレームの前端は、車幅方向内方に向かうに従い下方に位置するよう延設されるブレースを介して前記サイドメンバの前端に連結されている
ことを特徴とする車両前部の車体構造。
【発明の詳細な説明】
【技術分野】
【０００１】
本発明は、フロントピラーから車両前方側にアッパーフレームが延びた車両前部の車体構造に関する。
【背景技術】
【０００２】
衝突時の衝撃を緩和して乗員を保護するための車体の構造が採用されている。これらの車体構造は、前方からの衝突の荷重を一部に集中させずに剛性が保てる部位に適宜分散できるように工夫されている。特に、車両の正面から見てエンジンやタイヤが存在しない部位の衝撃を緩和できるようにすることは、対向車両の種類に拘わらず広い範囲で相手車両の部材（対向位置の異なるサイドフレーム等）からの衝撃を緩和することができることになる。
【０００３】
このような情勢により、従来から、フロントピラーから車両前方にアッパーフレームが延びた車両前部の車体構造において、衝突時のアッパーフレームの前部からの荷重を効率よく分散できるようにする技術が種々提案されている。例えば、アッパーフレームの前端部に荷重がかかった場合に、荷重をフロントピラーに分散させる技術が提案されている（例えば、特許文献１参照）。即ち、アッパーフレームを車体後方に向けて直線状に上方に配置し、アッパーフレームの前端部にかかった荷重を上方に向けてルーフ側に分散するようになっている。
【０００４】
従来の構造によれば、アッパーフレームを車体後方に向けて上がり勾配にしているので、アッパーフレームに入力された荷重をルーフ側に分散することができ、また、アッパーフレームの下側のスペースを確保して設計の自由度を高めることができる。
【０００５】
【特許文献１】特開２００５−１１２１７３号公報
【発明の開示】
【発明が解決しようとする課題】
【０００６】
しかし、特許文献１に記載されているような従来の車両前部の車体構造では、アッパーフレームの前端部にかかった荷重をルーフ側に分散しているので、車体の上部に補強部材を設けたり、車体上部の構造物の板厚を増加させることが必要である。補強部材の追加や板厚増は重量の増加につながり、車体の上側の重量が増してしまう。このため、車体の重心が高くなり車両の安定性が損なわれ、カーブ等での操縦安定性が低下してしまう虞があった。
【０００７】
本発明は上記状況に鑑みてなされたもので、アッパーフレームの前端部にかかった荷重を積極的に車体下方側の部材へ導き効率よく車両の後方に分散させることができる車両前部の車体構造を提供し、もって、車体の上側の重量を増加させることなく、衝突荷重の吸収性能と操縦安定性の向上とを両立させることを目的とする。
【課題を解決するための手段】
【０００８】
上記目的を達成するための請求項１に係る本発明の車両前部の車体構造は、車両の車室前部の左右に位置して上下方向に延設される一対のフロントピラーと、同フロントピラーに基端が接合されて車両前方に延設される左右一対のアッパーフレームと、同アッパーフレームより下方でかつ前記フロントピラーよりも車幅方向内側に配置されて前記車室の前方に延設される左右一対のサイドメンバとを備え、前記サイドメンバの前端側に前記アッパーフレームの前端側が連結されるよう構成された車両前部の車体構造において、前記アッパーフレームは、その車幅方向縦断面における重心点を前記アッパーフレームの長さ方向に沿って結んだ仮想重心線が、前記アッパーフレームの基端側において車両後方に向かって下方に傾斜するよう形成されていることを特徴とする。
【０００９】
請求項１に係る本発明では、アッパーフレームの車幅方向縦断面における重心点を結んだ仮想重心線がアッパーフレームの基端側において車両後方に向かって下方に傾斜するようにアッパーフレームが形成されているので、衝突等によりアッパーフレームの前端に入力された荷重がフロントピラーの下方側に積極的に導かれ、車両上部よりも比較的強度が高く、補強等の重量増加による車体重心への悪影響の少ない車両下方側の部材（サイドシル等）に荷重を分散することができる。
【００１０】
上記目的を達成するための請求項２に係る本発明の車両前部の車体構造は、請求項１の車両前部の車体構造において、前記アッパーフレームの基端側は、その下縁部の形状が車両後方に向かって下向きに湾曲するよう形成され、前記フロントピラーの前縁部と連続するように接合されることを特徴とする。
【００１１】
請求項２に係る本発明では、アッパーフレーム前端に入力された荷重が、スムーズかつ効率的にフロントピラーの下方側に導かれて車両下方側に確実に分散される。
【００１２】
そして、請求項３に係る本発明の車両前部の車体構造は、請求項２に記載の車両前部の車体構造において、前記フロントピラーは、前記アッパーフレームが接合される部位に車両前方に張り出して前記アッパーフレームの基端が重合される接合突出部を有しており、前記接合突出部は、その下方側の形状が前記アッパーフレーム基端側の下縁部の湾曲に沿った湾曲形状に形成されていることを特徴とする。
【００１３】
請求項３に係る本発明では、アッパーフレームの接合が強固とされるとともに、アッパーフレーム前端からの入力荷重をより効率よく受けて車両の下方側に確実に分散させることができる。
【００１４】
また、請求項４に係る本発明の車両前部の車体構造は、請求項１〜３のいずれか一項に記載の車両前部の車体構造において、前記アッパーフレームの前端は下向きに湾曲していることを特徴とする。
【００１５】
請求項４に係る本発明では、車両前部で入力されてアッパーフレーム側に分散された荷重を積極的かつ効率良く受けることができる。
【００１６】
また、請求項５に係る本発明の車両前部の車体構造は、請求項１〜４のいずれか一項に記載の車両前部の車体構造において、前記アッパーフレームの基端側の上縁部の形状は略水平に形成されていることを特徴とする。
【００１７】
請求項５に係る本発明では、フロントピラーの上側に分散される入力荷重を最小限に抑制することができ、荷重をより積極的にピラー下方側へ分散させることができる。
【００１８】
また、請求項６に係る本発明の車両前部の車体構造は、請求項１〜５のいずれか一項に記載の車両前部の車体構造において、前記フロントピラーの下端部には、前記フロントピラーと前記サイドメンバとを連結して補強する補強部材が設けられていることを特徴とする。
【００１９】
請求項６に係る本発明では、フロントピラー下方側に生じる曲げモーメントを打ち消すとともに、フロントピラーの下端部に導かれた入力荷重をサイドシルだけでなく補強部材を介してサイドメンバにも分散することができる。
【００２０】
また、請求項７に係る本発明の車両前部の車体構造は、請求項１〜６のいずれか一項に記載の車両前部の車体構造において、前記アッパーフレームは、車幅方向内方に開放された断面略ハット形のアウターパネルと、同アウターパネルに接合されて閉断面を形成するインナーパネルとから構成されており、前記インナーパネルには、前記アウターパネルよりも車両上方に延設される延設部が形成され、同延設部にフードの前縁を支持するアッパーバーの端部が接合されていることを特徴とする。
【００２１】
請求項７に係る本発明では、アッパーフレームの延設部が、アッパーバーを支持するとともに、歩行者の衝突等によりアッパーバーへ入力される衝撃荷重を延設部によって有効に吸収することができる。
【００２２】
また、請求項８に係る本発明の車両前部の車体構造は、請求項１〜７のいずれか一項に記載の車両前部の車体構造において、前記アッパーフレームの前端は、車幅方向内方に向かうに従い下方に位置するよう延設されるブレースを介して前記サイドメンバの前端に連結されていることを特徴とする。
【００２３】
請求項８に係る本発明では、ブレースによって車両正面から受ける面積を多く確保することができ、オフセット衝突等においては、相手構造物の進入を効率良く防ぐことができる。
【発明の効果】
【００２４】
本発明の車両前部の車体構造は、アッパーフレームの前端部にかかった荷重を積極的に車体下方側の部材へ導き効率よく車両の後方に分散させることができ、車体の上側の重量を増加させることなく、衝突荷重の吸収性能と操縦安定性の向上とを両立させることが可能になる。
【発明を実施するための最良の形態】
【００２５】
図１には本発明の一実施形態例に係る車両前部の車体構造を表す斜視状況、図２には図１の分解状況、図３には車両前部の側面視状況、図４には車両前部の正面視状況、図５には図３中のＡ−Ａ線矢視、図６には図３中のＢ−Ｂ線矢視、図７には図４中のＣ−Ｃ線矢視、図８には正面衝突時の衝突エネルギーの分散状況を表す側面視状況を示してある。
【００２６】
図１、図２に示すように、車両の車室Ｓ前部の左右両側部には、車両の上下方向に延設された一対のフロントピラー３が備えられ、フロントピラー３には、車両の前方に延びる左右一対のアッパーフレーム６の基端が接合されている。左右のフロントピラー３同士は、車幅方向に延びるカウルトップパネル９で連結されており、カウルトップパネル９の下方には、車室Ｓと車室前方の領域（フードルーム）とを仕切るダッシュパネル１０が配置されている。ダッシュパネル１０の左右前方には、サスペンション装置を支持する筒型のストラットハウス１６が設けられ、アッパーフレーム６に接合されている。
【００２７】
また、フロントピラー３より車幅方向内側でかつアッパーフレーム６より下方の位置には、車両前後方向に延設される左右一対のフロントフロアサイドメンバ（サイドメンバ）１が配置されており、サイドメンバ１は、車室Ｓの下方からダッシュパネル１０に沿って車両前方へ延ばされている。そして、アッパーフレーム６の前端部は、連結ブレース７を介してサイドメンバ１の前端部に連結されており、サイドメンバ１の前端部同士はフロントエンドクロスメンバ２で連結されている。
【００２８】
なお、ここで言う車室前方の領域（フードルーム）とは、板状のフードによって上方を覆われた車両前部の領域で、エンジンが前部に置かれる車両の場合、一般的にエンジンルームと呼ばれている部分を指す。
【００２９】
図１、図２に示すように、フロントピラー３は、上方側が車両の斜め上後方に傾斜されて図示しないルーフピラーに繋がり、下方側が下端部でサイドメンバ１と平行に配されて車両後方に延びるサイドシル４に繋がっている。そして、サイドシル４の前端部（フロントピラー３の下端部）とサイドメンバ１との間には、補強部材としての補強ブレース８（図２参照）が設けられており、サイドシル４とサイドメンバ１とを連結している。
【００３０】
フロントピラー３は、フロントピラーアウタ３ａ、フロントピラーインナ３ｂおよび図示しないヒンジリンホース等で構成されており、フロントピラーアウタ３ａにフロントピラーインナ３ｂが接合されて閉断面を形成している（図５参照）。
【００３１】
図３に示すように、フロントピラー３の略中央部位は、車両前方側に張り出しており、フロントピラーインナ３ｂは、フロントピラーアウタ３ａよりもさらに車両前方側に突出されて接合突出部５を形成している。この接合突出部５にアッパーフレーム６が接合されている。
【００３２】
アッパーフレーム６は、車幅方向内方に開放された車幅方向縦断面略ハット形のアッパーフレームアウタ６ａと、同アッパーフレームアウタ６ａに接合されて閉断面を形成するアッパーフレームインナ６ｂとから構成されている（図６参照）。
【００３３】
そして、アッパーフレームアウタ６ａの基端側の上下縁部をフロントピラーインナ３ｂの接合突出部５に接合させるとともに、基端の接合面をフロントピラーアウタ３ａに重ねて接合させている。すなわち、図５に示すように、アッパーフレームアウタ６ａの基端をフロントピラーインナ３ｂの接合突出部５に被せるように重合させることで、アッパーフレーム６をフロントピラー３に接合させている。また、アッパーフレームインナ６ｂの端部は、フロントピラーインナ３ｂの接合突出部５の前端に接合されている。
【００３４】
図３に示すように、アッパーフレーム６の基端側は、その下縁部の形状が車両後方に向かうに従って下向きに湾曲するよう形成されている。また、フロントピラー３の前縁部から連続する接合突出部５の下縁部が、アッパーフレーム６の下縁部の湾曲に沿った湾曲状に形成されており、アッパーフレーム６がフロントピラー３に接合された状態でアッパーフレーム６の下縁部とフロントピラー３の前縁部とが連続する形状に構成されている。
【００３５】
また、アッパーフレーム６基端側の上縁部は、略水平な形状とされており、アッパーフレーム６の基端側は、アッパーフレーム６の車幅方向縦断面における重心点をアッパーフレーム６の長さ方向に結んだ仮想重心線Ｐが車両後方に向かって下方に傾斜するように形成されている。即ち衝突等によりアッパーフレーム６に伝わった荷重がフロントピラー３の下方側に導かれる形状とされている。
【００３６】
一方、アッパーフレーム６の前端側は、下向きに湾曲するよう形成されており、その前端部には、サイドメンバ１の前端部に連結される連結ブレース７が接合されている。そして、連結ブレース７下縁部とアッパーフレーム６下縁部とフロントピラー３前縁部とが車両横方向から見て連続したアーチ状となるように構成されている。
【００３７】
図１、図４に示すように、連結ブレース７は、アッパーフレーム６前端部から連続的に車幅方向内方斜め前方へ延びてアッパーフレーム６の前端部よりも車両前方に位置するサイドメンバ１の前端部の前面に接合されており、連結ブレース７は、車両正面から見て車幅方向内方に向かうに従い下方に傾斜するよう配置されている。
【００３８】
図７に示すように、連結ブレース７は、アウターパネル７ａとインナーパネル７ｂによって閉断面に構成された部材であり、連結ブレース７のインナーパネル７ｂがサイドメンバ１の前端部の前面を塞ぐように溶接により接合されている。そして、連結ブレース７のアウターパネル７ａの前面にフロントエンドクロスメンバ２が結合されている。
【００３９】
フロントエンドクロスメンバ２は、連結ブレース７にボルト１５（図４参照）により結合され、一対のサイドメンバ１の前端部同士を連結している。フロントエンドクロスメンバ２はバンパーの補強・取付け具としても使用される。
【００４０】
図１、図６に示すように、アッパーフレーム６のアッパーフレームインナ６ｂには、アッパーフレームアウタ３ａよりも車両上方に延設される延設部１１が形成されている。延設部１１には、フードの前縁を支持するアッパーバー１２の端部が接合されており、この延設部１１でアッパーバー１２を支持している。
【００４１】
アッパーバー１２はフードルームの前部で車幅方向に配置される構造部材で、フードのロック部材やフードとの金属緩衝を抑制するゴム部材等が設置されている。
【００４２】
フードルームの前部には、図示しないラジエータ等を支持するための一対のラジエータサポート１３が、アッパーバー１２と連結ブレース７とに亘り設けられている。ラジエータサポート１３は、上端部がアッパーバー１２に、下端部が連結ブレース７に結合されて車両上下方向に延設された部材であり、上方側に対して下方側が車幅方向外側に広がるよう配置され、一対のラジエータサポート１３を車両前方から見ると略ハの字形状となっている。ラジエータサポート１３には、サイドメンバ１の上に載置されるラジエータがエアコンのコンデンサやラジエータファンと一体で枠部材等を介して取付けられる。また、ラジエータサポート１３にはランプ等の機器が保持される。
【００４３】
一方、ストラットハウス１６前方のサイドメンバ１とアッパーフレーム６及び連結ブレース７で囲まれる部位にはフェンダーシールド１４が設けられている。フェンダーシールド１４は、車両後端側がストラットハウス１６に連続するように接合されるとともに、サイドメンバ１とアッパーフレーム６及び連結ブレース７に他の３方が接合されている。
【００４４】
上記構成からなる本発明の車両前部の車体構造では、図１〜図３に示すように、アッパーフレーム６の基端側における下縁部を車両後方に向かって下向きに湾曲させ、上縁部を略水平な形状としたので、荷重をアッパーフレーム６によってフロントピラー３の下方側、即ち、車両下方側に積極的に導くことができる。つまり、アッパーフレーム６の車幅方向縦断面が基端側（車両後方側）に行くに従って下方向に拡幅され、車幅方向縦断面における重心点をアッパーフレーム６の長さ方向に沿って結んだ仮想重心線Ｐが車両後方に向かって下方に傾斜される状態となるので、必然的に衝突荷重が車両下方側に導かれることとなる。
【００４５】
更に、アッパーフレーム６の基端が接合される接合突出部５の下縁部の形状をアッパーフレーム６基端側の下縁部の湾曲に沿った湾曲形状とし、アッパーフレーム６とフロントピラー３とが連続するように接合させているので、アッパーフレーム６からフロントピラー３への荷重の伝達がスムーズとなる。また、アッパーフレーム６は、その基端側を接合突出部５に被せるように接合（重合）されているので、アッパーフレーム６とフロントピラー３との連結状態がより強固となっている。これにより、車両の衝突等によってアッパーフレーム６の前端に入力された荷重が、スムーズかつ効率的にフロントピラー３の下部に導かれて車両下方側に積極的にかつ確実に分散され、フロントピラー３の上方側に分散される荷重を最小限に抑制することができる。
【００４６】
また、図３に示すように、アッパーフレーム６の先端は下向きに湾曲した形状となっており、その前端に連続して連結ブレース７が連結されているので、車両前部から分散された荷重を積極的かつ効率よく受けてフロントピラー３側に伝達させることができる。
【００４７】
更に、図４に示すように、連結ブレース７が車両正面から見て車幅方向内方に下方へ傾斜するよう配置されているので、連結ブレース７によって車両正面から受ける面積を多く確保することができ、オフセット衝突時等において相手構造物の進入を効率良く防ぐことができ、特に、車両との衝突の場合、相手車両の大きさや重量に拘わらず衝突時に車室側への相手車両の構造物（サイドメンバ等）の進入を最小限に抑制することができる。
【００４８】
また、ストラットハウス１６前方のサイドメンバ１とアッパーフレーム６及び連結ブレース７で囲まれる部位にフェンダーシールド１４が接合されているので、これら４部材で囲まれる領域の変形を抑制することができる。従って、車両衝突時において、アッパーフレーム６が途中で折れ曲がるようなことを防止できるので、荷重の入力に対して車両後方への伝達を確実とし、効率よく衝撃を吸収することができる。
【００４９】
更に、上述した作用効果に加えて本発明の車両前部の車体構造では、アッパーフレーム６より上方に延設される延設部１１を形成し、延設部１１にフード前部を支持するアッパーバー１２の両端部を接合して、アッパーバー１２を支持するようにしたので、フード前部の上方からのアッパーバー１２に過剰な入力（例えば、歩行者の衝突等によるフードからの過剰な入力）があった際には、延設部１１が変形して過剰な入力を有効に吸収することができる。
【００５０】
次に、図８に基づいて本発明の車両前部の車体構造における衝突荷重の分散状況を説明する。
【００５１】
図８に示すように、衝突等により正面から荷重Ｆが入力されると、荷重Ｆは太矢印で示すように、サイドメンバ１とともにサイドメンバ１の前端に連結された連結ブレース７を介してアッパーフレーム６側に分散される。アッパーフレーム６に伝達された荷重は、先端アッパーフレーム６の基端側の湾曲に沿ってフロントピラー３の下方側、即ち車両下方側に導かれてフロントピラー３から車両下部のサイドシル４に伝達される。また、サイドメンバ１に直接入力された荷重は、サイドメンバ１の後方側に伝達される。
【００５２】
これにより、正面からの荷重Ｆはほとんどがサイドメンバ１並びに車両後方のサイドシル４に伝達される。このため、フロントピラー３の上方側及びルーフ側への荷重Ｆの影響を最小限に抑えることができ、車両上側での補強を削減することができ、車両上部の重量増加を抑え重心を低くすることができる。
【００５３】
つまり、アッパーフレーム６の車幅方向縦断面における重心点を結んだ仮想重心線がアッパーフレーム６の基端側において車両後方に向かって下方に傾斜するようにアッパーフレーム６が形成されているので、衝突等によりアッパーフレーム６の前端に入力された荷重がフロントピラー３の下方側に積極的に導かれ、車両上部よりも比較的強度が高く、補強等の重量増加による車体重心への悪影響の少ない車両下方側の部材（サイドシル４等）に荷重を分散することができる。
【００５４】
アッパーフレーム６から伝わる荷重Ｆがフロントピラー３に入力される点Ｏにおける荷重は、下方側への成分ａ及び車両後方側への成分ｂ及び上方側への成分に分散される。このうち、上方側への成分は前述したように最小限であり、主に下方側への成分ａ及び車両後方側への成分ｂに荷重が分散される。
【００５５】
点Ｏにおける荷重の下方側への成分ａはサイドシル４に伝達される。また、車両後方側への成分ｂは、サイドシル４と連結されたフロントピラー３の下端部を中心としてフロントピラー３を曲げようとするモーメントとなるが、サイドメンバ１と連結した補強ブレース８によってフロントピラー３下端部を補強することで、このモーメント（荷重の成分ｂ）を補強ブレース８で受けるようにしている。
【００５６】
これによって荷重の成分ｂに対する抵抗モーメントＭが補強ブレース８に発生し、この抵抗モーメントＭがサイドシル４に伝達されることとなり、結果、荷重の車両後方側への成分ｂがサイドシル４に伝達される。また、補強ブレース８は、サイドメンバ１に連結されているので、補強ブレース８で受けた荷重をサイドメンバ１に分散して伝達することができる。
【００５７】
従って、正面から入力された荷重Ｆはほとんどがサイドメンバ１及びフロントピラー３の下方側のサイドシル４に伝達され、フロントピラー３上方側の補強を削減することができる。また、補強ブレース８で車両下方側の補強を行っているので重心が更に下側とされる。このため、低重心となってカーブ走行時の車体のロールを抑制することができ、操縦安定性を向上させることができる。また、既存品であるサイドシル４を衝突安全部材として使用しているので、コストの増加を抑制することができる。更に、車体の下側で補強構造が完結しているので、プラットホームを共有した複数の車両への適用が容易となる。
【００５８】
従って、アッパーフレーム６の前端部にかかった荷重を積極的に車体下方側の部材へ導き効率よく車両の後方に分散させることができ、車体の上側の重量を増加させることなく、衝突荷重の吸収性能と操縦安定性の向上とを両立させることが可能になる。
【産業上の利用可能性】
【００５９】
本発明は、フロントピラーから車両前方側にアッパーフレームが延びた車両前部の車体構造の産業分野で利用することができる。
【図面の簡単な説明】
【００６０】
【図１】本発明の一実施形態例に係る車両前部の車体構造を表す斜視図である。
【図２】車両前部（図１）の分解斜視図である。
【図３】車両前部（図１）の側面図である。
【図４】車両前部（図１）の正面図である。
【図５】図３中のＡ−Ａ線断面矢視図である。
【図６】図３中のＢ−Ｂ線断面矢視図である。
【図７】図４中のＣ−Ｃ線断面矢視図である。
【図８】正面衝突時の衝突エネルギーの分散状況を表す側面図である。
【符号の説明】
【００６１】
１  フロントフロアサイドメンバ（サイドメンバ）
２  フロントエンドクロスメンバ
３  フロントピラー
３ａ  フロントピラーアウタ
３ｂ  フロントピラーインナ
４  サイドシル
５  接合突出部
６  アッパーフレーム
６ａ  アッパーフレームアウタ
６ｂ  アッパーフレームインナ
７  連結ブレース
８  補強ブレース
９  カウルトップパネル
１０  ダッシュパネル
１１  延設部
１２  アッパーバー
１３  ラジエータサポート
１４  フェンダーシールド
１５  ボルト
１６  ストラットハウス
【図１】
2008137552.tif 000003
【図２】
2008137552.tif 000004
【図３】
2008137552.tif 000005
【図４】
2008137552.tif 000006
【図５】
2008137552.tif 000007
【図６】
2008137552.tif 000008
【図７】
2008137552.tif 000009
【図８】
2008137552.tif 000010